(57)【要約】【課題】従来の空気電池では、高速放電が要求される用途において、充分な容量を確保することが難しかった。【解決手段】 電解質収容部１を間にして正極２及び負極３を備えた空気電池Ａ１に用いる負極３であって、正極２側に配置した負極部材３１と、負極部材３１の正極相対向面の裏側に配置した負極集電部材３０とを積層した構造を有し、負極部材３１が、正極２との相対向面に開口する多数の凹部を有すると共に、凹部の総表面積が、負極部材３１の正極側投影面積よりも大きい構成とすることで、負極部材３１の表面積を大幅に拡大し、高速放電が要求される空気電池Ａ１において、充分な容量の確保を実現した。【選択図】図１
2015153603.tif 000002
【特許請求の範囲】
【請求項１】
電解質収容部を間にして正極及び負極を備えた空気電池に用いる負極であって、
正極側に配置した負極部材と、負極部材の正極相対向面の裏側に配置した負極集電部材とを積層した構造を有し、
負極部材が、正極との相対向面に開口する多数の凹部を有すると共に、凹部の総表面積が、負極部材の正極側投影面積よりも大きいことを特徴とする空気電池用負極。
【請求項２】
負極部材における凹部の総表面積が、負極部材の正極側投影面積の二倍以上であることを特徴とする請求項１に記載の空気電池用負極。
【請求項３】
負極部材における凹部が、溝及び孔の少なくとも一方であると共に、溝の平均幅及び孔の平均直径が、０．１ｍｍ以上であることを特徴とする請求項１又は２に記載の空気電池用負極。
【請求項４】
負極部材が、波形状の板材から成ることを特徴とする請求項１〜３のいずれか１項に記載の空気電池用負極。
【請求項５】
負極部材が、波形状にプレス加工された金属製板材から成ることを特徴とする請求項４に記載の空気電池用負極。
【請求項６】
負極部材が、厚さ方向の断面に波形が表れる板材であって、正極との相対向面における波形谷部を凹部としていることを特徴とする請求項４又は５に記載の空気電池用負極。
【請求項７】
負極部材の正極相対向面の裏面における波形谷部が、空気流路であることを特徴とする請求項６に記載の空気電池用負極。
【請求項８】
負極部材が、正極との相対向面に波形が表れる板材であって、波形両面の空間を凹部としていることを特徴とする請求項４又は５に記載の空気電池用負極。
【請求項９】
負極部材が、凹部として、正極との相対向面に開口する多数の溝を有していることを特徴とする請求項１又は２に記載の空気電池用負極。
【請求項１０】
負極部材が、負極集電部材との積層方向を水平方向にして設置される空気電池用の負極部材であって、凹部としての溝が、鉛直方向に沿って形成してあることを特徴とする請求項９に記載の空気電池用負極。
【請求項１１】
負極部材が、凹部として、正極との相対向面に開口する多数の孔を有していることを特徴とする請求項１，２，８〜１０のいずれか１項に記載の空気電池用負極。
【請求項１２】
負極部材が、圧粉体から成ることを特徴とする請求項９〜１１のいずれか１項に記載の空気電池用負極。
【請求項１３】
負極部材が、アルミニウム、マグネシウム、亜鉛、鉄及びリチウムのうちの少なくとも１つを主体とする金属から成ることを特徴とする請求項１〜１２のいずれか１項に記載の空気電池用負極。
【請求項１４】
電解質収容部を間にして、正極と、請求項１〜１３のいずれか１項に記載の負極部材を含む負極とを備えたことを特徴とする空気電池。
【請求項１５】
請求項１４に記載の空気電池を積層して直列接続したことを特徴とする組電池。
【発明の詳細な説明】
【技術分野】
【０００１】
本発明は、酸素を正極活物質として利用する空気電池に用いられる空気電池用負極の改良に関するものである。
【背景技術】
【０００２】
従来の空気電池としては、例えば、特許文献１に記載されているものがある。特許文献１に記載の空気電池は、空気極層及び負極層、並びに、前記空気極層と負極層との間に配設された電解質層を具備する積層体が捲回された電極体を備えており、少なくとも一部の層において、他の層と接触する面に溝を設けた構成である。この空気電池は、より具体的には、断面円形の負極層を中心にして電解質層と空気極層が捲回してあり、空気極層の内面に、周方向に所定間隔で溝を設けた構成である。これにより、上記の空気電池は、エネルギー密度を高めることを可能にしている。
【先行技術文献】
【特許文献】
【０００３】
【特許文献１】特開２０１１−１２９２７３号公報
【発明の概要】
【発明が解決しようとする課題】
【０００４】
ところで、近年では、自動車等の車両の電源又は補助電源として使用する空気電池の研究開発が進められている。このような空気電池では、大幅な出力向上が求められているのであるが、高速で放電すると、負極表面が酸化析出物で覆われて放電時間が短くなることがある。このため、従来の空気電池は、高速放電が要求される用途において、充分な容量を確保することが難しく、特許文献１に記載の空気電池にあっても、積極的に反応性を高めるものではないため、充分な容量を確保するうえで同様の問題点があり、このような問題点を解決することが課題であった。
【０００５】
本発明は、上記従来の状況に鑑みて成されたものであって、高速放電が要求される空気電池において、充分な容量を確保することができる空気電池用負極を提供することを目的としている。
【課題を解決するための手段】
【０００６】
本発明に係わる空気電池用負極は、電解質収容部を間にして正極及び負極を備えた空気電池に用いる負極である。この空気電池用負極は、電解質収容部を介して正極に相対向する負極部材と、負極部材の正極相対向面の裏側に配置した負極集電部材とを積層した構造を有している。そして、空気電池用負極は、前記負極部材が、正極との相対向面に開口する多数の凹部を有すると共に、凹部の総表面積が、負極部材の正極側投影面積よりも大きいことを特徴としている。
【発明の効果】
【０００７】
本発明に係わる空気電池用負極は、多数の凹部により負極部材の表面積が大幅に拡大されたものとなり、空気電池を構成した際に全体の電流密度が下がるので、その空気電池を高速放電させた場合、酸化析出物が生じても放電時間を長く継続させることができる。これにより、空気電池用負極は、例えば車載用の空気電池のように高速放電が要求される空気電池において、充分な容量を確保することができる。
【図面の簡単な説明】
【０００８】
【図１】本発明に係わる空気電池用負極の第１実施形態を説明する空気電池の断面図（Ａ）、及び一部を破断状態にした正面図（Ｂ）である。
【図２】図１に示す空気電池の要部の拡大断面図（Ａ）、及び図１に示す空気電池から成る組電池の断面図（Ｂ）である。
【図３】本発明に係わる空気電池用負極の第２実施形態を説明する空気電池の断面図（Ａ）、及び一部を破断状態にした正面図（Ｂ）である。
【図４】図３に示す負極部材の一部を拡大した断面図（Ａ）、及び負極部材の他の例を示す断面図（Ｂ）である。
【図５】本発明に係わる空気電池用負極の第３実施形態を説明する空気電池の断面図（Ａ）、及び一部を破断状態にした正面図（Ｂ）である。
【図６】図５に示す空気電池から成る組電池の要部を示す拡大断面図である。
【図７】本発明に係わる空気電池用負極の第４実施形態を説明する空気電池の断面図（Ａ）、及び一部を破断状態にした正面図（Ｂ）である。
【図８】本発明に係わる空気電池用負極の第５実施形態を説明する空気電池の断面図（Ａ）、及び一部を破断状態にした正面図（Ｂ）である。
【図９】本発明に係わる空気電池用負極の第６実施形態を説明する空気電池の断面図（Ａ）、一部を破断状態にした正面図（Ｂ）、及び図Ｂ中のＡ−Ａ線に基づく水平断面図（Ｃ）である。
【図１０】本発明に係わる空気電池用負極の第７実施形態を説明する空気電池の断面図（Ａ）、及び一部を破断状態にした正面図（Ｂ）である。
【発明を実施するための形態】
【０００９】
〈第１実施形態〉
図１に示す空気電池Ａ１は、概略矩形板状を成し、電解質収容部１を間にして、正極２と負極３とを積層した構造を有すると共に、電気絶縁性を有し且つ少なくとも正極２及び電解質収容部１の外周を包囲する外枠部材４を備えている。前記負極３が、本発明に係わる空気電池用負極である。図示例の外枠部材４は、正極２、電解質収容部１及び負極３の一部（負極部材３１）の外周を包囲している。
【００１０】
電解質収容部１は、この実施形態では、後に電解液を注入する注液式の構成である。この電解質収容部１は、注液式の構成のほか、予め電解質を収容した構成や、電解液含浸用のセパレータを収容した構成などにすることができる。電解質は、例えば、水酸化カリウム（ＫＯＨ）や塩化物を主成分とした液体、固体又はゲル状のものであり、空気電池に適用される周知の材料が用いられる。
【００１１】
正極２は、正極集電体を含む正極部材２１と、正極表面側（図１Ａで左側）に配置した液密通気部材２２とを積層状態に備えている。他方、負極３は、上述の如く、電解質収容部１を間にして正極２及び負極３を備えた空気電池Ａ１を構成するものであって、正極２側に配置した負極部材３１と、負極部材３１の正極相対向面の裏側（図１Ａで右側）に配置した負極集電部材３０とを積層した構造を有している。
【００１２】
前記正極２における正極部材２１は、触媒を含む導電性多孔質材料で形成してあり、例えば、カーボン材料とバインダー樹脂とで形成した導電性多孔体の内部に、二酸化マンガンなどの触媒を担持させたものである。また、正極部材２１に含まれる正極集電体は、ステンレス、銅（Ｃｕ）、ニッケル（Ｎｉ）、及びカーボンなどの材料で形成した通気性を有する導電部材であり、金網状部材やカーボンペーパーも使用可能である。
【００１３】
前記正極２における液密通気部材２２は、電解質収容部１の電解液に対して液密性（水密性）を有し、且つ酸素に対して通気性を有する部材である。この液密通気部材２２は、電解液が外部へ漏出するのを阻止し得るように、フッ素樹脂などの撥水膜を用いており、一方、正極部材２１に酸素を供給し得るように多数の微細孔を有している。
【００１４】
前記負極３における負極部材３１は、アルミニウム（Ａｌ）、マグネシウム（Ｍｇ）、亜鉛（Ｚｎ）、鉄（Ｆｅ）及びリチウム（Ｌｉ）のうちの少なくとも１つを主体とする金属、若しくは合金などの材料から成るものである。
【００１５】
前記負極３における負極集電部材３０は、電解質収容部１の電解液が外部に漏出するのを阻止し得る材質から成る導電部材であって、例えば、ステンレス、及び銅（合金）や、金属材料の表面に耐食性を有する金属をメッキしたものなどである。
【００１６】
外枠部材４は、矩形枠状を成すものであって、正極２、電解質収容部１及び負極部材３１の外周を包囲している。このため、負極層３の負極集電部材３０は、外枠部材４と同等の縦横寸法を有し、外枠部材４の負極側の開口部分を閉塞するように設けてある。また、外枠部材４は、正極２、電解質収容部１及び負極部材３１を合わせた積層寸法よりも大きい幅寸法を有しており、これにより正極２よりも突出して、同正極２の表面との段差に相当する深さの扁平な凹部５を形成している。
【００１７】
外枠部材４は、ポリプロピレン（ＰＰ）やエンジニアリングプラスチック（いわゆるエンプラ）などの耐電解液性を有する樹脂製であることが好ましく、これにより軽量化も図ることができる。また、外枠部材４は、機械的強度を持たせるために、樹脂をカーボン繊維やガラス繊維などの強化繊維によって複合化した繊維強化プラスチック（ＦＲＰ）を使用することもできる。
【００１８】
ここで、この実施形態の空気電池Ａ１は、先述の如く注液式の構成であるから、電解質収容部１が、空間又は電解液含浸用のセパレータを収容した空間であって、長辺を垂直方向（鉛直方向）にした姿勢で設置される。このため、図１（Ｂ）に示すように、外枠部材４の上側には、電解質収容部１に電解液を充填するための注液口４Ａが設けてある。
【００１９】
また、上記の空気電池Ａを構成する空気電池用負極３は、負極部材３１が、正極２との相対向面に開口する多数の凹部を有すると共に、凹部の総表面積が、負極部材３１の正極側投影面積よりも大きいものとなっている。
【００２０】
さらに、上記の負極３は、負極部材３１における凹部の総表面積が、負極部材３１の正極側投影面積の二倍以上であるものとしており、より好ましい実施形態として、負極部材３１における凹部が、溝及び孔の少なくとも一方であると共に、溝の平均幅及び孔の平均直径が、０．１ｍｍ以上であるものとしている。
【００２１】
さらに、この実施形態における負極部材３１は、圧粉体から成るものであって、例えば粉末焼結によって多孔質状に形成されており、全体に分布している微細孔を正極２との相対向面に開口する多数の凹部としている。
【００２２】
上記の負極３を備えた空気電池Ａ１は、電解液（又は電解質用液体）を注液口４Ａから電解質収容部１に注液することで起動する。このとき、負極３は、負極部材３１が、正極２との相対向面に開口する多数の凹部の総表面積が、負極部材３１の正極側投影面積よりも大きいので、多数の凹部により負極部材３１の表面積が大幅に拡大されたものとなり、空気電池Ａ１を構成した際に全体の電流密度が下がる。よって、その空気電池Ａ１を高速放電させた場合、酸化析出物が生じても放電時間を長く継続することができる。
【００２３】
このようにして、負極３は、例えば車載用の空気電池のように高速放電が要求される空気電池Ａ１において、充分な容量を確保することができる。また、高速放電をしても充分な容量を確保し得るので、空気電池Ａ１の小型軽量化が可能になる。
【００２４】
さらに、上記の負極３は、負極部材３１における凹部の総表面積を、負極部材３１の正極側投影面積の二倍以上とし、より好ましくは、負極部材３１における凹部としての溝の平均幅及び孔の平均直径を、０．１ｍｍ以上としたので、とくに、車載用の電源としてより一層好適な高出力の空気電池を提供することができる。
【００２５】
さらに、上記の負極３は、負極部材３１を圧粉体から成るものとしたので、充分な放電容量を実現するための電極を安価に大量生産することができ、空気電池の製造コストの低減等に貢献することができる。
【００２６】
さらに、上記の負極３は、負極部材３１が、アルミニウム、マグネシウム、亜鉛、鉄及びリチウムのうちの少なくとも１つを主体とする金属から成るものとしたので、高速放電が要求される空気電池Ａ１において充分な容量を確保することができ、とくに、マグネシウムや亜鉛を用いた場合には、表面積あたりの出力が低いので、容量確保の効果を一層高めることができる。
【００２７】
さらに、上記の負極３は、上記説明から明らかなように、電解質収容部１や正極２とともに空気電池Ａ１を構成し、図２に示すように、複数の空気電池Ａ１を積層して直列接続することで組電池ＡＣを構成する。
【００２８】
このとき、空気電池Ａ１は、正極２と外枠部材４との間に正極接点部材６を設ける。この正極接点部材６は、正極２と外枠部材４との間において、全体的又は部分的に配置され、図２（Ａ）中で左側となる内端部が正極２に接触し、外端部が外枠部材４の端面に達している。これにより、組電池ＡＣにおいては、図２（Ｂ）に示すように、空気電池Ａ１の正極接点部材６が、隣接する空気電池Ａ１の負極集電部材３０に接触し、隣接する空気電池Ａ１同士が直列接続される。このとき、組電池ＡＣでは、各空気電池Ａ１の正極２側の扁平な凹部５が、正極２に対する空気供給空間になる。そのため、外枠部材４には、空気供給空間（凹部５）の内外を連通させる空気流路（図示略）が設けてある。
【００２９】
なお、上記の負極３は、次のようなメリットもある。すなわち、負極３は、注液式の空気電池に採用した場合、電解液の流通性が円滑になるように負極部材３１の形状を工夫することで、注液性を高めることが可能になる。また、空気電池では、負極に高活性の活物質を用いた場合、水素ガスが多量に発生することがあるが、上記の負極部材３１によれば、多数の凹部により水素ガスの除去が容易になるので、高活性の活物質を使用して出力向上を図ることが容易である。さらに、負極３は、例えば粉末負極を用いた空気電池と比較すると、負極部材３１の組成の偏りが無いので、放電が均一に行われ、容量や出力の劣化が発生し難いものとなる。
【００３０】
以下、図３〜図１０に基づいて、本発明に係わる空気電池用負極の他の実施形態を説明する。なお、以下の各実施形態において、第１実施形態と同一の構成部位は、同一符号を付して詳細な説明を省略する。
【００３１】
〈第２実施形態〉
図３に示す空気電池Ａ２における空気電池用負極３は、負極部材３２が、波形状（断面波形状）の板材から成るものである。この負極部材３２は、金属製板材をプレス加工により波形状に成形したものであって、空気電池Ａ２の厚さ方向の断面に波形が表れるように配置され、正極２との相対向面における波形谷部３２Ｔを凹部としている。なお、この実施形態の負極部材３２は、図３（Ａ）に示す垂直断面に波形が表れるように、すなわち波形状の断面（山部及び谷部）が水平方向に連続するように配置してあるが、水平断面に波形が表れるように（波形状の断面が垂直方向に連続するように）配置しても良い。
【００３２】
なお、図３に示す空気電池用負極３の負極部材３２は、図４（Ａ）にも示すように、曲線的な波形状であるが、図４（Ｂ）に示すような直線から成るクランク型の波形状でも良く、折り返し構造を有するものであれば適用可能である。
【００３３】
上記の空気電池用負極３は、負極部材３２において、凹部（波形谷部３２Ｔ）の総表面積が、負極部材３２の正極側投影面積よりも大きくなって、負極部材３２の表面積が大幅に拡大されたものとなる。これにより、空気電池用負極３は、先の実施形態と同様に、例えば車載用の空気電池のように高速放電が要求される空気電池Ａ２において、放電時間を長く継続させることができ、充分な容量を確保することができる。また、この実施形態では、波形状にプレス加工された金属製板材から成る負極部材３２を採用したので、充分な容量を確保し得る負極部材３２を安価に大量生産することができ、その取り扱いも容易であって、空気電池Ａ２の製造コストの低減などに貢献することができる。
【００３４】
〈第３実施形態〉
図５に示す空気電池Ａ３における空気電池用負極３は、第２実施形態と同様に、波形状（断面波形状）の板材から成る負極部材３３を備えている。この実施形態の負極部材３３は、空気電池Ａ３の厚さ方向の断面に波形が表れるように配置されていると共に、正極２との相対向面における波形谷部３３Ｔを凹部としており、さらに、正極相対向面の裏面における波形谷部を空気流路Ｆとしている。
【００３５】
このため、この実施形態における空気電池用負極３は、第１実施形態に示す平板状の負極集電部材（３０）が無く、負極部材３３が、正極相対向面の裏面に負極集電部材（図示略）を有する二重構造である。そして、図示例の空気電池Ａ３は、外枠部材４の負極側端面に、負極３に接触する負極側接点部材７が設けてある。
【００３６】
上記の空気電池用負極３は、先の実施形態と同様に、凹部（波形谷部３３Ｔ）により負極部材３３の表面積が大幅に拡大されたものとなり、例えば車載用の空気電池のように高速放電が要求される空気電池Ａ３において、放電時間を長く継続させ、充分な容量を確保することができる。また、この実施形態の空気電池用負極３は、図６に示すように、複数の空気電池Ａ３を積層して組電池ＡＣを構成する。
【００３７】
上記の組電池ＡＣでは、隣接する空気電池Ａ３の正極側接点部材６と負極側接点部材７とが接触して、隣接する空気電池Ａ３同士が直列接続され、さらに、負極部材３３の正極相対向面の裏側の空気流路Ｆが、隣接する空気電池Ａ３の凹部（空気供給空間）５に連通する。これにより、組電池ＡＣは、空気電池Ａ３同士の間により多くの空気を流通させることが可能となり、若しくは、凹部５の深さを小さくして小型化を図ることが可能になる。
【００３８】
〈第４実施形態〉
図７に示す空気電池Ａ４における空気電池用負極３は、波形状（断面波形状）の板材から成る複数の負極部材３４を備えている。ただし、この実施形態の負極部材３４は、第２及び第３の実施形態とは配置が異なり、正極との相対向面に波形が表れる板材であって、波形両面の空間３４Ａを凹部としている。図示例の複数の負極部材３４は、いずれも負極３の上下方向にわたる長さを有し、水平方向に所定間隔で配置してある。
【００３９】
上記の空気電池用負極３にあっても、先の実施形態と同様に、凹部（空間３４Ａ）により負極部材３４の表面積が大幅に拡大されたものとなり、例えば車載用の空気電池のように高速放電が要求される空気電池Ａ４において、放電時間を長く継続させ、充分な容量を確保することができる。
【００４０】
〈第５実施形態〉
図８に示す空気電池Ａ５における空気電池用負極３は、負極部材３５が、凹部として、正極２との相対向面に開口する多数の溝３５Ａを有している。図示例の負極部材３５は、水平方向に直線状を成す溝３５Ａを、上下方向に所定間隔で配列した構造である。なお、負極部材３５に形成する溝３５Ａは、その形態が限定されることはなく、直線状や曲線状のもの、長さや幅の異なるもの、方向が異なるものなどを適宜組み合わせることが可能である。
【００４１】
上記の空気電池用負極３にあっても、先の実施形態と同様に、凹部（溝３５Ａ）により負極部材３５の表面積が大幅に拡大されたものとなり、例えば車載用の空気電池のように高速放電が要求される空気電池Ａ５において、放電時間を長く継続させ、充分な容量を確保することができる。
【００４２】
なお、先述した特許文献１に記載の空気電池は、少なくとも一部の層において、他の層と接触する面に溝を設けており、具体的には、空気極層の内面に溝を設けている。しかし、特許文献１の空気極層の溝は、負極層を中心にして電解質層と空気極層を捲回する際に、空気極層の内周側と外周側の周長差に対応するものである。したがって、特許文献１の空気極層の溝部と、上記実施形態で説明した負極部材３５の溝部３５Ａとは、構成及びその機能において全く別のものである。
【００４３】
〈第６実施形態〉
図９に示す空気電池Ａ６における空気電池用負極３は、負極部材３６が、凹部として、正極２との相対向面に開口する多数の溝３６Ａを有している。ここで、この空気電池用負極３は、負極部材３６が、負極集電部材３０との積層方向を水平方向にして設置される空気電池Ａ６用のものであり、凹部としての溝３６Ａが鉛直方向に沿って形成してある。
【００４４】
すなわち、第１から第５の実施形態で説明した空気電池用負極３は、適用する空気電池の姿勢がとくに限定されるものではなく、一例として、厚さ方向を水平方向にした注液式の空気電池Ａ１〜Ａ５を示した。これに対して、この実施形態の空気電池用負極３は、負極部材３６と負極集電部材３０との積層方向（厚さ方向）を水平方向にして設置される空気電池Ａ６に適用される。
【００４５】
上記の空気電池用負極３にあっても、先の実施形態と同様に、凹部（溝３６Ａ）により負極部材３６の表面積が大幅に拡大されたものとなり、例えば車載用の空気電池のように高速放電が要求される空気電池Ａ６において、放電時間を長く継続させ、充分な容量を確保することができる。また、この実施形態の空気電池用負極３は、溝３６Ａが鉛直方向に沿って形成してあるので、電解質収容部１に対する電解液の注液性が非常に良好であると共に、放電時に発生したガスを浮揚させて逃がしやすい構造になる。
【００４６】
なお、上記の注液性の向上やガスの除去性を高める効果は、例えば、厚さ方向に波形の断面が表れる負極部材（３２，３３）を採用した第２及び第３の実施形態（図３及び図５参照）において、水平断面に波形が表れるように（波形の山部及び谷部が垂直方向に連続するように）負極部材を配置することによっても達成することができる。
【００４７】
〈第７実施形態〉
図１０に示す空気電池Ａ７における空気電池用負極３は、負極部材３７が、凹部として、正極との相対向面に開口する多数の孔３７Ａを有している。図示例の負極部材３７は、同じ大きさの円形の孔３７Ａを縦横に所定間隔で配置した構造である。なお、負極部材３５に形成する孔３７Ａは、その形態が限定されることはなく、円形以外の形状のものや、開口面積や深さが異なるもの、配置間隔が異なるものなどを適宜組み合わせることが可能である。また、孔３７を貫通孔にして、底部側を負極集電部材３０で閉塞した構造にすることも可能である。
【００４８】
上記の空気電池用負極３にあっても、先の実施形態と同様に、凹部（孔３７Ａ）により負極部材３７の表面積が大幅に拡大されたものとなり、例えば車載用の空気電池のように高速放電が要求される空気電池Ａ７において、放電時間を長く継続させ、充分な容量を確保することができる。また、この実施形態の負極部材３７は、パンチングなどによって孔３７Ａを容易に形成することができるので、安価に大量生産することが可能であって、空気電池Ａ７の製造コストの低減などに貢献することができる。
【００４９】
本発明に係る空気電池用負極は、その構成が上記の各実施形態に限定されるものではなく、本発明の要旨を逸脱しない範囲で構成の細部を適宜変更することができる。
【符号の説明】
【００５０】
Ａ１〜Ａ７空気電池
ＡＣ  組電池
Ｆ  空気流路
１  電解質収容部
２  正極
３  負極
３１〜３７  負極部材
３０  負極集電部材
３２Ｔ  波形谷部（凹部）
３３Ｔ  波形谷部（凹部）
３４Ａ  空間
３５Ａ  溝（凹部）
３６Ａ  溝（凹部）
３７Ａ  孔（凹部）
【図１】
2015153603.tif 000003
【図２】
2015153603.tif 000004
【図３】
2015153603.tif 000005
【図４】
2015153603.tif 000006
【図５】
2015153603.tif 000007
【図６】
2015153603.tif 000008
【図７】
2015153603.tif 000009
【図８】
2015153603.tif 000010
【図９】
2015153603.tif 000011
【図１０】
2015153603.tif 000012